(57)【要約】【課題】腹部に当てた時に腸内の便をスムーズに先に送ることが可能で、強い刺激をときよりあたえるだけで、気分が悪くなりにくいマッサージ器を提供する。【解決手段】マッサージ器１は、円盤形状に形成された内側回転体３２と、円環形状に形成され外側回転体３４と、内側回転体３２の内側突起部３３と、外側回転体３４の外側突起部３５とを備えている。また、マッサージ器１は、内側回転体３２の表面及び外側回転体３４の表面を少なくとも覆う覆部２０と、覆部２０のうち内側回転体３２に対向する位置に設けられた、厚みを有する第１厚部２２と、覆部２０のうち外側回転体３４に対向する位置に設けられた、厚みを有する第２厚部２４とを備えている。マッサージ器１は、内側回転体３２及び外側回転体３４を人の腹部に対向させたときに、腹部から見て外側回転体３４を反時計回りに回転させ、内側回転体３２を反時計回りに回転させている。【選択図】  図１
2017209418.tif 000002
【特許請求の範囲】
【請求項１】
円盤形状に形成された内側回転体と、
円環形状に形成され、前記内側回転体と同軸状に配置された外側回転体と、
前記内側回転体の表面に形成された内側突起部と、
前記外側回転体の表面に形成された外側突起部と、
前記内側回転体の前記表面及び前記外側回転体の前記表面を少なくとも覆う覆部と、
前記覆部のうち前記内側回転体に対向する位置に設けられた、厚みを有する第１厚部と、
前記覆部のうち前記外側回転体に対向する位置に設けられた、厚みを有する第２厚部と、
前記内側回転体及び前記外側回転体を人の腹部に対向させたときに、腹部から見て前記外側回転体を反時計回りに回転させ、前記内側回転体を反時計回りに回転させる駆動部と
を備えることを特徴とするマッサージ器。
【請求項２】
請求項１に記載のマッサージ器において、
複数の前記第２厚部を備えており、そのうちの少なくとも一つは、腹部に当てたときに結腸が位置する部分に設けられていることを特徴とするマッサージ器。
【請求項３】
請求項２に記載のマッサージ器において、
前記結腸が位置する部分に設けられた前記第２厚部は、他の位置に設けられた前記第２厚部に比べ大きいことを特徴とするマッサージ器。
【請求項４】
請求項１〜３のいずれか１項に記載のマッサージ器において、
前記内側突起部及び前記第１厚部は、前記内側回転体の円周方向に沿って互いが均等に配置されるように、少なくとも二つずつ備えられていることを特徴とするマッサージ器。
【請求項５】
請求項１〜４のいずれか１項に記載のマッサージ器において、
前記内側突起部及び前記外側突起部は半球形状に形成され、
前記第１厚部及び前記第２厚部は、球形状に形成されている
ことを特徴とするマッサージ器。
【請求項６】
請求項１〜５のいずれか１項に記載のマッサージ器において、
仰向けのユーザーの腹部に前記内側突起部および前記外側突起部が当たるように、前記内側回転体および前記外側回転体を配置する立脚部を備えることを特徴とするマッサージ器。
【発明の詳細な説明】
【技術分野】
【０００１】
本発明は、マッサージ器に関し、特に腹部に当てて腸を揉むことに適したマッサージ器に関する。
【背景技術】
【０００２】
腹部をマッサージする装置として、図５に示す腹部マッサージ器１００が知られている（例えば、特許文献１）。
腹部マッサージ器１００は、支持部１０１と、少なくとも一つのマッサージ突起１０２を有する運動プレート１０５と、支持部１０１の基礎に対し傾斜した上位面１２１を有する中間プレート１２０を有する。
【０００３】
腹部マッサージ器１００は、運動プレート１０５が中間プレート１２０の上位面１２１に対し直角の回転軸を持ち、この軸周りを自由に回転している。それによって中間プレート１２０の回転が運動プレート１０５に揺動運動を生じさせ、この揺動運動がマッサージ突起１０２の並進運動に変換されるものである。
【先行技術文献】
【特許文献】
【０００４】
【特許文献１】特許第３５３９９６４号明細書
【発明の概要】
【発明が解決しようとする課題】
【０００５】
しかし、腹部マッサージ器１００は、運動プレート１０５が一方向に回転するだけであり、大腸が便を反時計回り、小腸が便を時計回り回っているので、回転方向が異なる腸では、便がかえって詰まってしまう可能性があった。また、腸の硬さに関わらず常に一定の力で押し続けているので揉み返しがあったり、必要以上に強く押圧する可能性もあった。
【０００６】
また、腹部マッサージ器１００は、運動プレート１０５が傾斜しながら回転し、強い刺激を腹部に当て続けるので、腹部に当てると気分が悪くなる可能性があった。
本発明は、腹部に当てた時に腸内の便をスムーズに先に送ることが可能で、強い刺激をときよりあたえるだけで、気分が悪くなりにくいマッサージ器を提供することを目的とする。
【課題を解決するための手段】
【０００７】
本発明の請求項１に係るマッサージ器は、円盤形状に形成された内側回転体と、円環形状に形成され、前記内側回転体と同軸状に配置された外側回転体と、前記内側回転体の表面に形成された内側突起部と、前記外側回転体の表面に形成された外側突起部と、前記内側回転体の前記表面及び前記外側回転体の前記表面を少なくとも覆う覆部と、前記覆部のうち前記内側回転体に対向する位置に設けられた、厚みを有する第１厚部と、前記覆部のうち前記外側回転体に対向する位置に設けられた、厚みを有する第２厚部と、前記内側回転体及び前記外側回転体を人の腹部に対向させたときに、腹部から見て前記外側回転体を反時計回りに回転させ、前記内側回転体を反時計回りに回転させる駆動部とを備える。
【０００８】
このマッサージ器は、腹部に当てて内側回転体及び外側回転体を回転させると、小腸が便を送る向きに内側突起部が回転し、大腸が便を送る向きに外側突起部が回転することになるので、腸内の便をスムーズに先に送ることができる。
【０００９】
また、このマッサージ器は、腹部に当てて内側回転体および外側回転体を回転させたときに、第１厚部及び第２厚部が内側突起部及び外側突起部にそれぞれ乗り上げて腹部を強く押すが、強い刺激を乗り上げたときに与えるだけなので、ユーザーの気分を悪くならせることなく腹部をマッサージすることができる。しかも、このマッサージ器は、ときより強い刺激を腹部に与えることで、第１厚部２２及び第２厚部２４が便を強く押して腸内を通りやすくするので、便通をよくすることができる。
【００１０】
次に、請求項２に記載したように、本発明のマッサージ器は、複数の第２厚部を備えており、そのうちの少なくとも一つは、腹部に当てたときにＳ字結腸が位置する部分に設けられていてもよい。
【００１１】
第２厚部は、大腸が位置する部分に当たるように配置するとよく、そのうち特にＳ字結腸に当たる部分に配置すると便通を促しやすくなるので、本発明のようにすると、Ｓ字結腸以外の部分に当たるように配置した場合に比べ、便通をよくすることができる。
【００１２】
次に、請求項３に記載したように、Ｓ字結腸が位置する部分に設けられた第２厚部は、他の位置に設けられた第２厚部に比べ大きいくてもよい。
Ｓ字結腸は大腸の中でも大きな部分なので、他の部分に当たる第２厚部よりも大きくしたほうが、便通を促しやすくなる。
【００１３】
なお、他の第２厚部は、例えば、１）下降結腸の長手方向中央部分、２）上行結腸の横行結腸とのつなぎ目近傍、３）上行結腸の盲腸とのつなぎ目近傍に設けるとよいが、他の部分に設けてもよい。
【００１４】
なお、請求項４に記載したように、内側突起部及び第１厚部は、内側回転体の円周方向に沿って互いが均等に配置されるように、少なくとも二つずつ備えられていてもよい。
このようにすると、内側突起部及び第１厚部がそれぞれ１つの場合よりも、便が先に送られやすくなるからである。
【００１５】
また、請求項５に記載したように、内側突起部及び外側突起部は半球形状に形成され、第１厚部及び第２厚部は、球形状に形成されていてもよいが、形状はこれらに限られるものではない。
【００１６】
また、請求項６に記載したように、仰向けのユーザーの腹部に内側突起部および外側突起部が当たるように、内側回転体および外側回転体を配置する立脚部を備えてもよい。このようにすると、ユーザーは、仰向けに寝た姿勢で腹部のマッサージを受けることができる。
【図面の簡単な説明】
【００１７】
【図１】実施形態のマッサージ器の透過斜視図で、マッサージ器を上下逆さまにした様子を示す図である。
【図２】マッサージ器を構成する本体部の上下逆さまの説明図であり、内部構成を透過図で示した本体部の透過斜視図である。
【図３】マッサージ器を構成する本体部の上下逆さまの透過平面図である。
【図４】第１厚部２２及び第２厚部２４を腸に対して配置する位置を説明するための模式図である。
【図５】従来のマッサージ器の断面図である。
【発明を実施するための形態】
【００１８】
以下に本発明の例示的な実施形態について図面を参照しながら説明する。
本実施形態のマッサージ器１は、図１に示すように、胴渡部１２の両側に一対の立脚部１４を備え、全体にコ字状に形成された本体部１０と、本体部１０全体を覆う覆部２０とを備えている。
【００１９】
胴渡部１２は、図２に示すように、厚みのある円盤形状の機構部３０を内蔵している。
機構部３０は、胴渡部１２の裏面１２ａに沿って軸方向の一旦側の面が配置されるように、胴渡部１２に内蔵され、円盤形状に形成された内側回転体３２と、円環形状に形成され、内側回転体３２と同軸状に配置された外側回転体３４とを備えている。
【００２０】
また、内側回転体３２の表面であって、胴渡部１２の裏面１２ａに沿った面には、一対の内側突起部３３が形成されている。各内側突起部３３は、内側回転体３２の円周方向に沿って互いが均等に配置されるように形成されている。各内側突起部３３は、半球形状に形成されている。
【００２１】
また、外側回転体３４の表面であって、胴渡部１２の裏面１２ａに沿った面には、外側突起部３５が形成されている。外側突起部３５は、内側突起部３３よりもやや大きな半球形状に形成されている。
【００２２】
さらに、胴渡部１２は、内部に内側回転体３２及び外側回転体３４を回転させる駆動部３６を備えている。
次に、覆部２０は、図１に示すように、内側回転体３２及び外側回転体３４の表面を覆う部分に、球形状に形成された複数の第１厚部２２、及び、球形状に形成された複数の第２厚部２４を備えている。
【００２３】
第１厚部２２は、図３に示すように、径が内側突起部３３と同じ球形状に形成されており、ユーザーのお腹に対向させたときにユーザーの小腸が当たる位置であって、内側回転体３２が回転して内側突起部３３が通過する部分に対向する位置に配置されている。そのため、内側回転体３２が回転して内側突起部３３が当たると、第１厚部２２が内側突起部３３に乗り上げる。
【００２４】
第２厚部２４は、図３に示すように、径が外側突起部３５よりもやや小さなものと、外側突起部３５よりも大きなものがある。径が小さいものを第２厚部２４ａ、径が大きいものを第２厚部２４ｂとよぶ。これら第２厚部２４は、球形状に形成されており、ユーザーのお腹に対向させたときにユーザーの大腸が当たる位置であって、外側回転体３４が回転して外側突起部３５が通過する部分に対向する位置に配置されている。そのため、外側回転体３４が回転して外側突起部３５が当たると、第２厚部２４が外側突起部３５に乗り上げる。
【００２５】
３つの第２厚部２４ａは、図４に示すように、ユーザーのお腹に対向させたときにユーザーの大腸が当たる位置であって、１）下降結腸の長手方向中央部分、２）上行結腸の横行結腸とのつなぎ目近傍、３）上行結腸の盲腸とのつなぎ目近傍に設けられている。
【００２６】
２つの第２厚部２４ｂは、Ｓ字結腸に当たる部分に配置されている。
以上のように構成されたマッサージ器１は、立脚部１４の遊端を地面に付けて、胴渡部１２が地面から浮くように設置される。
【００２７】
そして、ユーザが胴渡部１２と地面との間に仰向けになって入り、ユーザの腹部が内側回転体３２及び外側回転体３４と対向するように仰向けになって寝そべる。
このような姿勢で、図示しないスイッチを押すと、駆動部３６から機構部３０に動力が送られ、腹部から見て外側回転体３４が反時計回りに回転し、内側回転体３２が反時計回りに回転する。
【００２８】
このようにすると、内側回転体３２が小腸内を便が流れる方向に回転するので、内側突起部３３がお腹にあたって小腸内の便を先に送る。
また、外側回転体３４が小腸内を便が流れる方向に回転するので、外側突起部３５がお腹にあたって大腸内の便を先に送る。
【００２９】
また、第１厚部２２及び第２厚部２４が、内側突起部３３及び外側突起部３５に当たり、便を軟らかくするので、便が腸内をスムーズに送られる。
以上説明したマッサージ器１では次に示す特徴的な作用効果を示す。
【００３０】
このマッサージ器１は、腹部に当てて内側回転体３２及び外側回転体３４を回転させると、小腸が便を送る向きに内側突起部３３が回転し、大腸が便を送る向きに外側突起部３５が回転することになるので、腸内の便をスムーズに先に送ることができる。
【００３１】
また、このマッサージ器１は、腹部に当てて内側回転体３２および外側回転体３４を回転させたときに、第１厚部２２及び第２厚部２４が内側突起部３３及び外側突起部３５にそれぞれ乗り上げて腹部を強く押すが、強い刺激を乗り上げたときに与えるだけなので、ユーザーの気分を悪くならせることなく腹部をマッサージすることができる。しかも、このマッサージ器１は、ときより強い刺激を腹部に与えることで、第１厚部２２及び第２厚部２４が便を強く押して腸内を通りやすくするので、便通をよくすることができる。
【００３２】
本実施形態の第２厚部２４ｂは、Ｓ字結腸に当たる部分に配置しているので、便通を促しやすくなる。
本実施形態の覆部２０は、厚み方向に弾力を有する生地で形成されているが、このような生地を用いることにより、第１厚部２２及び第２厚部２４等が腹部を押す力を逃がしている。腸の硬さは人それぞれなので、この生地の弾力によって人の腸の硬さに合わせてマッサージを行うことができる。
［他の実施形態］
以上、実施形態について説明したが、特許請求の範囲に記載された発明は、上記実施形態に限定されることなく、種々の形態を採り得ることは言うまでもない。
【００３３】
（１）上記実施形態では、内側突起部３３、外側突起部３５を半球形状としたが、軸方向に平行な面で円柱を切ったような形状に形成されていてもよい。
（２）上記実施形態では、内側突起部３３、外側突起部３５、第１厚部２２、第２厚部２４の硬軟について特に限定していないが、硬軟は特に限定されるものではない。
【００３４】
（３）上記実施形態では、球形状の第１厚部２２及び第２厚部２４を備えているが、球形状でなくてもよい、例えば、赤血球形状、楕円体形状、円錐形状などでもよい。
（４）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００３５】
１…マッサージ器、１０…本体部、１２…胴渡部、１２ａ…裏面、１４…立脚部、
２０…覆部、２２…第１厚部、２４（２４ａ、２４ｂ）…第２厚部、
３０…機構部、３２…内側回転体、３３…内側突起部、３４…外側回転体、
３５…外側突起部、３６…駆動部。
【図１】
2017209418.tif 000003
【図２】
2017209418.tif 000004
【図３】
2017209418.tif 000005
【図４】
2017209418.tif 000006
【図５】
2017209418.tif 000007